(57)【要約】【課題】初対面の人にも名刺として抵抗なく受け取ってもらえ、かつ、多くの情報を記載した冊子を併せて提供することができ、しかも、冊子が充分に保護されるようにした折り畳み式名刺を提供する。【解決手段】１枚の用紙からなる名刺サイズの表面紙１と裏面紙２を二つ折りにして、前記表面紙１に名刺としての印刷を施すと共に、前記表面紙１と裏面紙２の間に、各種情報を印刷した折り畳み展開自在な冊子３を貼り付けてなり、折り畳んだ状態での前記冊子３のサイズは、前記名刺サイズよりも大きくなく、折り畳まれた前記冊子３が、前記表面紙１と裏面紙２の間に挟まれた状態で隠蔽される。【選択図】  図１
0003118674.tif 000002
【実用新案登録請求の範囲】
【請求項１】
１枚の用紙を二つ折りにして名刺サイズの表面紙（１）と裏面紙（２）とし、前記表面紙（１）に名刺としての印刷を施すと共に、前記表面紙（１）と裏面紙（２）の間に、各種情報を印刷した折り畳み展開自在な冊子（３）を貼り付けてなり、折り畳んだ状態での前記冊子（３）のサイズは、前記名刺サイズよりも大きくなく、折り畳まれた前記冊子（３）が、前記表面紙（１）と裏面紙（２）の間に挟まれた状態で隠蔽されることを特徴とする折り畳み式名刺。
【請求項２】
前記表面紙（１）と裏面紙（２）の間には、襠（４）が設けられていることを特徴とする請求項１に記載の折り畳み式名刺。
【考案の詳細な説明】
【技術分野】
【０００１】
本考案は、広告、宣伝、案内、紹介等の各種情報を印刷した折り畳み展開自在な冊子を二つ折りにした名刺の内部に貼り付けた折り畳み式名刺に関する。
【背景技術】
【０００２】
商品情報や業務内容の紹介等を印刷した冊子を名刺に一体化させるようにした考案は既に提案されている。例えば、帯状の用紙を一定の幅でジグザグに折り畳むことにより名刺サイズの折り畳み冊子を形成し、その折り畳み冊子の表紙に名刺記載事項を記載し、表紙以外の部分に各種情報を記載するようにした名刺が提案されている（例えば、特許文献１参照）。また、折り畳み自在なカタログに名刺を貼付するようにしたものも提案されている（例えば、特許文献２参照）。
【０００３】
【特許文献１】登録実用新案第３０１９６３４号公報
【特許文献２】登録実用新案第３０４０７２３号公報
【考案の開示】
【考案が解決しようとする課題】
【０００４】
しかし、ジグザグに折り畳むようにした名刺では、折り畳まれた状態が不安定であるため各種情報を記載した冊子部分がばらけやすく破れたり皺になったりしやすいという難点がある。また、ジグザグに折り畳まれる冊子では、広い面積を確保できないため、例えば、景色や地図、展開図等を掲載できないこともある。
【０００５】
一方、カタログに名刺を貼付する場合には、カタログの部分は折り畳まれるものの、やはり名刺としてのイメージよりもカタログとしてのイメージが強いため、初対面の人にも抵抗なく受け取ってもらえるかどうか疑問である。また、折り畳まれるカタログの部分が特に保護されるような構成ではないため、カタログ部分が破れたり皺になったりしやすいという難点もある。
【０００６】
本考案は、このような実情に鑑みてなされ、初対面の人にも名刺として抵抗なく受け取ってもらえ、かつ、多くの情報を記載した冊子を併せて提供することができ、しかも、冊子が充分に保護されるようにした折り畳み式名刺を提供することを目的とする。
【課題を解決するための手段】
【０００７】
（１）本考案に係る折り畳み式名刺は、１枚の用紙を二つ折りにして名刺サイズの表面紙１と裏面紙２とし、前記表面紙１に名刺としての印刷を施すと共に、前記表面紙１と裏面紙２の間に、各種情報を印刷した折り畳み展開自在な冊子３を貼り付けてなり、折り畳んだ状態での前記冊子３のサイズは、前記名刺サイズよりも大きくなく、折り畳まれた前記冊子３が、前記表面紙１と裏面紙２の間に挟まれた状態で隠蔽されることを特徴とする。
【０００８】
このような構成によれば、各種情報を印刷した冊子３が折り畳まれて、表面紙１と裏面紙２の間に挟まれた状態で隠蔽されるので、外観上はあくまで名刺としてのイメージが確保されるため、初対面の人にも名刺として抵抗なく受け取ってもらえ、きわめて自然なかたちで各種情報を提供することができる。また、折り畳まれた冊子３が、表面紙１と裏面紙２の間に挟まれるので、冊子３が充分に保護され体裁もよく長期にわたる保存が可能となる。そして、折り畳式の冊子３は、広い面積を確保することができるため、多くの情報を掲載することができる。
【０００９】
（２）前記表面紙１と裏面紙２の間には、襠４が設けられてもよい。このようにすれば、折り畳んだ冊子３の厚みに対応させて適切な襠幅を設定することによって、冊子３の面積をより広く確保しても表面紙１及び裏面紙２を平坦状に維持することができるため、体裁を損なうことなく、より多くの情報を提供することができる。
【考案の効果】
【００１０】
本考案に係る折り畳み式名刺は、折り畳まれた前記冊子が、名刺サイズの表面紙と裏面紙の間に挟まれた状態で隠蔽されるので、外観上はあくまで名刺としてのイメージが確保されるため、初対面の人にも名刺として抵抗なく受け取ってもらえ、きわめて自然なかたちで各種情報を提供することができる。また、折り畳まれた冊子が、表面紙と裏面紙の間に挟まれるので、冊子が充分に保護され体裁もよく長期にわたる保存が可能となる。そして、折り畳式の冊子は、広い面積を確保することができるため、多くの情報を掲載することができる。
【考案を実施するための最良の形態】
【００１１】
以下に、本考案の最良の実施の形態に係る折り畳み式名刺について図面を参照しつつ詳細に説明する。
〔実施の形態１〕
図１（ａ）（ｂ）及び図２は横型の折り畳み式名刺を示す。これらの図に示すように、この折り畳み式名刺は、１枚の用紙からなる名刺サイズの表面紙１と裏面紙２を折曲部１ａで二つ折りにして、その表面紙１の表面及び裏面に名刺としての印刷を施すと共に、表面紙１と裏面紙２の間に、各種情報を印刷した折り畳み展開自在な冊子３を貼り付けており、折り畳んだ状態での冊子３のサイズは、表面紙１及び裏面紙２よりも若干小さく設定され、折り畳まれた冊子３が、表面紙１と裏面紙２の間に挟まれた状態で隠蔽されるように構成されている。
【００１２】
冊子３の展開状態にて図２の左端上の一区画部分が、裏面紙２の内面に貼り付けられ、冊子３を折り畳むと、冊子３は表面紙１と裏面紙２の間に挟まれた状態で隠蔽されるため、外観上はあくまで名刺としてのイメージが確保される。従って、初対面の人にも名刺として抵抗なく受け取ってもらえ、きわめて自然なかたちで各種情報を提供することができる。また、折り畳まれた冊子３が、表面紙１と裏面紙２の間に挟まれているので、冊子３が充分に保護され体裁もよく長期にわたる保存が可能となる。そして、折り畳式の冊子３は、広い面積を確保することができるため、多くの情報を掲載することができる。例えば、複数の区画にわたって景色や地図、展開図等を掲載することもできる。
【００１３】
〔実施の形態２〕
図３（ａ）（ｂ）及び図４は縦型の折り畳み式名刺を示す。これらの図に示すように、この折り畳み式名刺は、１枚の用紙からなる名刺サイズの表面紙１と裏面紙２を折曲部１ａで二つ折りにして、その表面紙１の表面及び裏面に名刺としての印刷を施すと共に、表面紙１と裏面紙２の間に、各種情報を印刷した折り畳み展開自在な冊子３を貼り付けており、折り畳んだ状態での冊子３のサイズは、表面紙１及び裏面紙２よりも若干小さく設定され、折り畳まれた冊子３が、表面紙１と裏面紙２の間に挟まれた状態で隠蔽されるように構成されており、前実施の形態と同様の作用効果を得られる。
【００１４】
〔実施の形態３〕
図５（ａ）（ｂ）及び図６は横型の襠付きの折り畳み式名刺を示す。これらの図に示すように、この折り畳み式名刺は、１枚の用紙からなる名刺サイズの表面紙１と裏面紙２の間に襠４を設け、その襠４で表面紙１と裏面紙２を二つ折りにして、その表面紙１の表面及び裏面に名刺としての印刷を施すと共に、表面紙１と裏面紙２の間に、各種情報を印刷した折り畳み展開自在な冊子３を貼り付けており、折り畳んだ状態での冊子３のサイズは、表面紙１及び裏面紙２よりも若干小さく設定され、折り畳まれた冊子３が、表面紙１と裏面紙２の間に挟まれた状態で隠蔽されるように構成されている。
【００１５】
冊子３の展開状態にて図６の左端上の一区画部分が、裏面紙２の内面に貼り付けられ、冊子３を折り畳むと、冊子３は表面紙１と裏面紙２の間に挟まれた状態で隠蔽されるため、同様に、外観上はあくまで名刺としてのイメージが確保される。前実施の形態と同様の作用効果を奏する。また、表面紙１と裏面紙２の間に襠４を設けているので、折り畳んだ冊子３の厚みに対応させて適切な襠幅を設定することによって、冊子３の面積をより広く確保しても表面紙１及び裏面紙２を平坦状に維持することができるため、体裁を損なうことなく、より多くの情報を提供することができる。
【００１６】
なお、本考案は、実施の形態に限定されることなく、考案の要旨を逸脱しない限りにおいて、適宜、必要に応じて、設計変更や改良等を行うのは自由であり、実施の形態間での構成の流用、転用等も自由である。例えば、裏面紙２（又は表面紙１）の内面に、サービス券や割引券、入場券等を入れるためのポケットを設けてもよい。また、表面紙１と裏面紙２の間に、外れ止め用の差し込み片を設けてもよい。また、冊子３のサイズ（区画数）や記載内容、記載形式（表裏両面記載、片面記載等々）等については適宜に選択されてよいのは言うまでもない。
【図面の簡単な説明】
【００１７】
【図１】（ａ）は本考案の実施の形態１に係る横型折り畳み式名刺の斜視図、（ｂ）は表面紙１を開いた状態の斜視図である。
【図２】同冊子を展開した状態の平面図である。
【図３】（ａ）は本考案の実施の形態２に係る縦型折り畳み式名刺の斜視図、（ｂ）は表面紙１を開いた状態の斜視図である。
【図４】同冊子を展開した状態の平面図である。
【図５】（ａ）は本考案の実施の形態３に係る襠付きの横型折り畳み式名刺の斜視図、（ｂ）は表面紙１を開いた状態の斜視図である。
【図６】同冊子を展開した状態の平面図である。
【符号の説明】
【００１８】
１…表面紙、２…裏面紙、３…冊子、４…襠
【図１】
0003118674.tif 000003
【図２】
0003118674.tif 000004
【図３】
0003118674.tif 000005
【図４】
0003118674.tif 000006
【図５】
0003118674.tif 000007
【図６】
0003118674.tif 000008